(57)【要約】【課題】複数の発光素子とこれに対応する複数のホログラム素子とを備えた従来の露光装置に比べて、簡易な構成でホログラム素子に入射する光を増加させて、光の利用効率を向上させることができる露光装置と、当該露光装置を用いた画像形成装置とを提供する。【解決手段】複数の発光素子が配列された基板と、前記基板上に配置された記録層であって、前記複数の発光素子の各々に対応する複数のホログラム素子が多重記録された記録層と、前記複数の発光素子に隣接して配置され、前記複数の発光素子と前記記録層とを離間する離間層と、前記離間層の記録層側に隣接して配置され、前記離間層とは屈折率の異なる材料で構成されて、前記離間層との屈折率差により入射した光を光軸方向に向けて屈折させる界面を形成する界面形成層と、を備えた露光装置とする。【選択図】図５
2012152945.tif 000002
【特許請求の範囲】
【請求項１】
複数の発光素子が第１の方向に並ぶように配列された基板と、
前記基板上に配置された記録層であって、前記複数の発光素子の各々から射出されて対応するホログラム素子に入射した入射光が、対応するホログラム素子により回折及び集光されて被露光面に照射され、前記第１の方向に並ぶ集光点列が形成されるように、前記複数の発光素子の各々に対応する複数のホログラム素子が多重記録された記録層と、
前記複数の発光素子に隣接して配置され、前記複数の発光素子と前記記録層とを離間する離間層と、
前記離間層の記録層側に隣接して配置され、前記離間層とは屈折率の異なる材料で構成されて、前記離間層との屈折率差により入射した光を光軸方向に向けて屈折させる界面を形成する界面形成層と、
を備えた露光装置。
【請求項２】
前記記録層は容器内に収納されて前記基板上に配置されており、前記容器の一部が前記界面形成層を構成する、請求項１に記載の露光装置。
【請求項３】
前記界面形成層は、前記離間層よりも屈折率が高い材料で構成され、前記第１の方向に延びると共に前記離間層側に凸な凸部を有する、請求項１または２に記載の露光装置。
【請求項４】
前記界面形成層は、前記離間層よりも屈折率が低い材料で構成され、前記第１の方向に延びると共に前記離間層側に凹な凹部を有する、請求項１または２に記載の露光装置。
【請求項５】
前記記録層の光出射側に隣接して配置され、当該層に対して光出射側に隣接する層とは屈折率の異なる材料で構成されて、前記光出射側に隣接する層との屈折率差により入射した光を光軸方向に向けて屈折させる第２の界面を形成する第２の界面形成層を、更に備える、請求項１から請求項４までの何れか１項に記載の露光装置。
【請求項６】
請求項１から請求項５までの何れか１項に記載の露光装置と、
前記露光装置と作動距離だけ離間して配置されると共に、前記露光装置に対して前記第１の方向と交差する第２の方向に相対移動され、前記露光装置により画像データに応じて走査露光されて、画像が書き込まれる感光体と、
を含む画像形成装置。
【発明の詳細な説明】
【技術分野】
【０００１】
本発明は、露光装置及び画像形成装置に関する。
【背景技術】
【０００２】
特許文献１には、画像を多数の微小な画素に分割し、一つもしくは複数の光源から各画素の濃度に対応した強度の光束を射出し、当該光束による輝点を、閾値以上の光量密度の光が照射されることにより、感光して表面電位変化や化学的変化等の潜像が形成される、又は感光して濃度変化を持つ画像が形成される画像記録媒体の上に走査して、各画素領域を順次感光させることにより画像を書込む光書込み装置において、前記光源と前記画像記録媒体との間であって光源側から順に、光束を集束させる光集束素子部と、光束が集束する位置に設けられた微小な光学的開口部と、該光学的開口部より射出した光束をおおむね平行な光束とするコリメータ部と、光束を複数の方向へ分解して放射すると共に複数の光束をおおむね同一の平面上に集束させるホログラム素子と、を配列された一つのユニットを、主走査方向に画素数と同数のアレイ状に配置したことを特徴とする光書込み装置が記載されている。
【０００３】
特許文献２には、光源基板上に配列された複数の発光素子と、透過する光を回折させることにより当該光の光線束を収束させて像を結ぶ複数の回折正レンズを有する第１レンズアレイと、複数のレンズを有し、前記複数の発光素子の各々との間に前記第１レンズアレイを挟む第２レンズアレイとを備え、前記複数の回折正レンズの各々は、前記光源基板に垂直な方向において前記複数の発光素子の各々に重なっていることを特徴とする露光装置が記載されている。
【先行技術文献】
【特許文献】
【０００４】
【特許文献１】特開２０００−３３００５８号公報
【特許文献２】特開２００７−２３７５７６号公報
【発明の概要】
【発明が解決しようとする課題】
【０００５】
本発明の目的は、複数の発光素子とこれに対応する複数のホログラム素子とを備えた従来の露光装置に比べて、簡易な構成でホログラム素子に入射する光を増加させて、光の利用効率を向上させることができる露光装置と、当該露光装置を用いた画像形成装置とを提供することにある。
【課題を解決するための手段】
【０００６】
上記目的を達成するために各請求項に記載の発明は、下記構成を備えたことを特徴としている。
【０００７】
請求項１に記載の発明は、複数の発光素子が第１の方向に並ぶように配列された基板と、前記基板上に配置された記録層であって、前記複数の発光素子の各々から射出されて対応するホログラム素子に入射した入射光が、対応するホログラム素子により回折及び集光されて被露光面に照射され、前記第１の方向に並ぶ集光点列が形成されるように、前記複数の発光素子の各々に対応する複数のホログラム素子が多重記録された記録層と、前記複数の発光素子に隣接して配置され、前記複数の発光素子と前記記録層とを離間する離間層と、前記離間層の記録層側に隣接して配置され、前記離間層とは屈折率の異なる材料で構成されて、前記離間層との屈折率差により入射した光を光軸方向に向けて屈折させる界面を形成する界面形成層と、を備えた露光装置である。
【０００８】
請求項２に記載の発明は、前記記録層は容器内に収納されて前記基板上に配置されており、前記容器の一部が前記界面形成層を構成する、請求項１に記載の露光装置である。
【０００９】
請求項３に記載の発明は、前記界面形成層は、前記離間層よりも屈折率が高い材料で構成され、前記第１の方向に延びると共に前記離間層側に凸な凸部を有する、請求項１または２に記載の露光装置である。
【００１０】
請求項４に記載の発明は、前記界面形成層は、前記離間層よりも屈折率が低い材料で構成され、前記第１の方向に延びると共に前記離間層側に凹な凹部を有する、請求項１または２に記載の露光装置である。
【００１１】
請求項５に記載の発明は、前記記録層の光出射側に隣接して配置され、当該層に対して光出射側に隣接する層とは屈折率の異なる材料で構成されて、前記光出射側に隣接する層との屈折率差により入射した光を光軸方向に向けて屈折させる第２の界面を形成する第２の界面形成層を、更に備える、請求項１から請求項４までの何れか１項に記載の露光装置である。
【００１２】
請求項６に記載の発明は、請求項１から請求項５までの何れか１項に記載の露光装置と、前記露光装置と作動距離だけ離間して配置されると共に、前記露光装置に対して前記第１の方向と交差する第２の方向に相対移動され、前記露光装置により画像データに応じて走査露光されて、画像が書き込まれる感光体と、を含む画像形成装置である。
【発明の効果】
【００１３】
本発明の各請求項に記載の発明によれば、以下の効果がある。
【００１４】
請求項１に記載の発明によれば、複数の発光素子とこれに対応する複数のホログラム素子とを備えた従来の露光装置に比べて、簡易な構成でホログラム素子に入射する光を増加させて、光の利用効率を向上させることができる、という効果がある。
【００１５】
請求項２に記載の発明によれば、記録層を収納する容器の一部により、入射した光を光軸方向に向けて屈折することができる、という効果がある。
【００１６】
請求項３、４に記載の発明によれば、複数の発光素子を高密度に配列しても、複数の発光素子が配列される第１の方向では、各発光素子について高い位置決め精度は不要になる、という効果がある。
【００１７】
請求項５に記載の発明によれば、ホログラム素子の記録時に高ＮＡのレンズが不要になると共に、ホログラム素子で回折されずに透過した不要光の拡がりを低減できる、という効果がある。
【００１８】
請求項６に記載の発明によれば、複数の発光素子とこれに対応する複数のホログラム素子とを備えた従来の画像形成装置に比べて、簡易な構成でホログラム素子に入射する光を増加させて、光の利用効率を向上させることができる、という効果がある。
【図面の簡単な説明】
【００１９】
【図１】本発明の実施の形態に係る画像形成装置の構成の一例を示す概略図である。
【図２】本発明の実施の形態に係るＬＥＤプリントヘッドの構成の一例を示す概略斜視図である。
【図３】（Ａ）はホログラム素子の概略形状を示す斜視図であり、（Ｂ）はＬＥＤプリントヘッドの副走査方向に沿った断面図であり、（Ｃ）はＬＥＤプリントヘッドの主走査方向に沿った断面図である。
【図４】ホログラムが記録される様子を示す図である。
【図５】位相共役記録によりホログラムが記録される様子を示す図である。
【図６】本発明の実施の形態に係るＬＥＤプリントヘッドの部分的構成の一例を示す分解斜視図である。
【図７】（Ａ）はホログラム記録層が容器内に収納された一体型ＬＰＨの具体的な構成を示す斜視図である。（Ｂ）は（Ａ）に示す容器の一部を取り出して示す斜視図である。
【図８】（Ａ）〜（Ｅ）は図７に示す一体型ＬＰＨの製造工程を示す断面図である。
【図９】（Ａ）はホログラム記録層が容器内に収納された一体型ＬＰＨの具体的な構成を示す斜視図である。（Ｂ）及び（Ｃ）は（Ａ）に示す容器の一部を取り出して示す斜視図である。
【図１０】図９に示す一体型ＬＰＨの変形例を示す断面図である。
【図１１】（Ａ）はホログラム記録層が容器内に収納された一体型ＬＰＨの具体的な構成を示す斜視図である。（Ｂ）は（Ａ）に示す容器の一部を取り出して示す斜視図である。
【発明を実施するための形態】
【００２０】
以下、図面を参照して本発明の実施の形態の一例を詳細に説明する。
【００２１】
＜画像形成装置＞
図１は本発明の実施の形態に係る画像形成装置の構成の一例を示す概略図である。この装置は、電子写真方式で画像を形成する画像形成装置であり、発光ダイオード（ＬＥＤ）を光源に用いたＬＥＤ方式の露光装置（ＬＥＤプリントヘッド、略称「ＬＰＨ」）を搭載している。ＬＥＤプリントヘッドは、機械的な駆動が不要という利点を有する。また、この画像形成装置は、所謂タンデム型のデジタルカラープリンタであり、各色の画像データに対応して画像形成を行う画像形成部としての画像形成プロセス部１０、画像形成装置の動作を制御する制御部３０、及び画像読取装置３と例えばパーソナルコンピュータ（ＰＣ）２等の外部装置とに接続され、これらの装置から受信された画像データに対して予め定めた画像処理を施す画像処理部４０を備えている。
【００２２】
画像形成プロセス部１０は、一定の間隔で並列に配置される４つの画像形成ユニット１１Ｙ、１１Ｍ、１１Ｃ、１１Ｋを備えている。画像形成ユニット１１Ｙ、１１Ｍ、１１Ｃ、１１Ｋの各々は、イエロー（Ｙ）、マゼンタ（Ｍ）、シアン（Ｃ）、黒（Ｋ）のトナー像を形成する。なお、画像形成ユニット１１Ｙ、１１Ｍ、１１Ｃ、１１Ｋを、適宜「画像形成ユニット１１」と総称する。
【００２３】
各画像形成ユニット１１は、静電潜像を形成してトナー像を保持する像保持体としての感光体ドラム１２、感光体ドラム１２の表面を予め定めた電位で一様に帯電する帯電器１３、帯電器１３によって帯電された感光体ドラム１２を露光する露光装置としてのＬＥＤプリントヘッド(ＬＰＨ)１４、ＬＰＨ１４によって得られた静電潜像を現像する現像器１７、転写後の感光体ドラム１２表面を清掃するクリーナ１６を備えている。
【００２４】
従来のＬＰＨは、ＬＥＤアレイとロッドレンズアレイとで構成されていた。ロッドレンズアレイには、セルフォック（登録商標）など、屈折率分布型のロッドレンズが用いられていた。各ＬＥＤから射出された光は、ロッドレンズにより集光されて、感光体ドラム上に正立等倍像が結像される。本実施の形態に係る画像形成装置は、「ロッドレンズ」に代えて「ホログラム素子」を用いたＬＰＨを備えている。
【００２５】
ＬＰＨ１４は、感光体ドラム１２の軸線方向の長さと略同じ長さの長尺状のプリントヘッドである。ＬＰＨ１４には、長さ方向に沿って複数のＬＥＤがアレイ状（列状）に配列されている。ＬＰＨ１４は、その長さ方向が感光体ドラム１２の軸線方向を向くように、感光体ドラム１２の周囲に配置されている。ロッドレンズを用いたＬＰＨでは、レンズアレイ端面から結像点までの光路長（作動距離）は短く、感光体ドラムの周囲における露光装置の占有割合が大きくなる。これに対して、本実施の形態のＬＰＨ１４は、作動距離は数ｍｍ〜数ｃｍと長く、感光体ドラム１２の表面から離間して配置されている。このため、感光体ドラム１２の周方向における占有幅が小さく、感光体ドラム１２の周囲の混雑が緩和されている。
【００２６】
また、画像形成プロセス部１０は、各画像形成ユニット１１の感光体ドラム１２にて形成された各色のトナー像が多重転写される中間転写ベルト２１、各画像形成ユニット１１の各色トナー像を中間転写ベルト２１に順次転写（一次転写）させる一次転写ロール２２、中間転写ベルト２１上に転写された重畳トナー像を記録媒体である用紙Ｐに一括転写（二次転写）させる二次転写ロール２３、及び二次転写された画像を用紙Ｐ上に定着させる定着器２５を備えている。
【００２７】
次に上記画像形成装置の動作について説明する。
まず、画像形成プロセス部１０は、制御部３０から供給された同期信号等の制御信号に基づいて画像形成動作を行う。その際に、画像読取装置３やＰＣ２から入力された画像データは、画像処理部４０によって画像処理が施され、インターフェースを介して各画像形成ユニット１１に供給される。
【００２８】
例えば、イエローの画像形成ユニット１１Ｙでは、帯電器１３により予め定めた電位で一様に帯電された感光体ドラム１２の表面が、画像処理部４０から得られた画像データに基づいて発光するＬＰＨ１４により露光されて、感光体ドラム１２上に静電潜像が形成される。即ち、ＬＰＨ１４の各ＬＥＤが画像データに基づいて発光することで、感光体ドラム１２の表面が主走査されると共に、感光体ドラム１２が回転することで副走査されて、感光体ドラム１２上に静電潜像が形成される。形成された静電潜像は現像器１７により現像され、感光体ドラム１２上にはイエローのトナー像が形成される。同様に、画像形成ユニット１１Ｍ,１１Ｃ,１１Ｋにおいて、マゼンタ、シアン、黒の各色トナー像が形成される。
【００２９】
各画像形成ユニット１１で形成された各色トナー像は、図１の矢印Ａ方向に回転動作する中間転写ベルト２１上に、一次転写ロール２２により順次静電吸引されて転写される（一次転写）。中間転写ベルト２１上には、重畳されたトナー像が形成される。重畳トナー像は、中間転写ベルト２１の移動に伴って二次転写ロール２３が配設された領域（二次転写部）に搬送される。重畳トナー像が二次転写部に搬送されると、トナー像が二次転写部に搬送されるタイミングに合わせて用紙Ｐが二次転写部に供給される。
【００３０】
そして、二次転写部にて二次転写ロール２３により形成される転写電界により、重畳トナー像は搬送されてきた用紙Ｐ上に一括して静電転写される（二次転写）。重畳トナー像が静電転写された用紙Ｐは、中間転写ベルト２１から剥離され、搬送ベルト２４により定着器２５まで搬送される。定着器２５に搬送された用紙Ｐ上の未定着トナー像は、定着器２５によって熱および圧力による定着処理を受けることで用紙Ｐ上に定着される。そして定着画像が形成された用紙Ｐは、画像形成装置の排出部に設けられた排紙トレー（不図示）に排出される。
【００３１】
＜ＬＥＤプリントヘッド(ＬＰＨ)＞
図２は本実施の形態に係る露光装置としてのＬＥＤプリントヘッドの構成の一例を示す概略斜視図である。図２に示すように、ＬＥＤプリントヘッド(ＬＰＨ１４)は、複数のＬＥＤ５０を備えたＬＥＤアレイ５２と、複数のＬＥＤ５０の各々に対応して設けられた複数のホログラム素子５４を備えたホログラム素子アレイ５６と、を備えている。図２に示す例では、ＬＥＤアレイ５２は６個のＬＥＤ５０１〜５０６を備え、ホログラム素子アレイ５６は６個のホログラム素子５４１〜５４６を備えている。なお、各々を区別する必要がない場合には、ＬＥＤ５０１〜５０６を「ＬＥＤ５０」と総称し、ホログラム素子５４１〜５４６を「ホログラム素子５４」と総称する。
【００３２】
複数のＬＥＤ５０の各々は、ＬＥＤチップ５３上に配列されている。複数のＬＥＤ５０が配列されたＬＥＤチップ５３は、ＬＥＤ５０の各々を駆動する駆動回路（図示せず）と共に、長尺状のＬＥＤ基板５８上に実装されている。ＬＥＤチップ５３は、複数のＬＥＤ５０が主走査方向に並ぶように位置合せをして、ＬＥＤ基板５８上に配置されている。これにより、ＬＥＤ５０の各々は、感光体ドラム１２の軸線方向と平行な方向に沿って配列される。
【００３３】
ＬＥＤ５０の配列方向が「主走査方向」である。また、ＬＥＤ５０の各々は、互いに隣接する２つのＬＥＤ５０（発光点）の主走査方向の間隔（発光点ピッチ）が一定間隔となるように配列されている。また、感光体ドラム１２の回転により副走査が行われるが、「主走査方向」と直交する方向を「副走査方向」として図示している。また、以下では、ＬＥＤ５０の配置される位置を、適宜「発光点」と称する。
【００３４】
複数のＬＥＤ５０の各々は、対応するホログラム素子５４側に光を射出するように、発光面をホログラム素子５４側に向けて、ＬＥＤチップ５３上に配置されている。ＬＥＤ５０の「発光光軸」は、対応するホログラム素子５４と交差し、ＬＥＤチップ５３及びＬＥＤ基板５８と直交する方向（法線方向）を向いている。図示した通り、発光光軸は、上記の主走査方向及び副走査方向の各々とも直交する。
【００３５】
なお、図２においては、数個のＬＥＤ５０が１列に配列された１個のＬＥＤチップ５３で構成されたＬＰＨ１４を、概略的に図示しているに過ぎない。後述するように、実際の画像形成装置では、主走査方向の解像度に応じて、数百個のＬＥＤチップ５３を配列することで、数千個のＬＥＤ５０が配列されている。
【００３６】
また、複数のＬＥＤチップ５３は、１次元状に配置してもよく、複数列に分けて２次元状に配置してもよい。例えば千鳥状に配置する場合には、複数のＬＥＤチップ５３は、主走査方向に並ぶように一列に配置されると共に、副走査方向に一定間隔ずらして二列に配置される。複数のＬＥＤチップ５３単位に分けられていても、複数のＬＥＤ５０の各々は、互いに隣接する２つのＬＥＤ５０の主走査方向の間隔が、ほぼ一定の間隔となるように配列されている。
【００３７】
ＬＥＤチップ５３としては、複数の自己走査型ＬＥＤ（ＳＬＥＤ：Self-scanning LED）が配列されたＳＬＥＤチップを用いてもよい。ＳＬＥＤチップは、スイッチのオン・オフを二本の信号線によって行い、各ＳＬＥＤを選択的に発光させて、データ線を共通化する。このＳＬＥＤチップを用いることで、基板上での配線数が少なくて済む。
【００３８】
ＬＥＤ基板５８上には、ホログラム記録層６０が配置されている。ホログラム素子アレイ５６は、ホログラム記録層６０内に形成されている。ホログラム記録層６０は、ＬＥＤチップ５３から予め定めた高さだけ離間された位置に、図示しない保持部材によって保持されている。ＬＥＤチップ５３とホログラム記録層６０との間には、ＬＥＤチップ５３（即ち、ＬＥＤ５０）に隣接する離間層６４と、離間層６４のホログラム記録層６０側に隣接する界面形成層６６とが配置されている。
【００３９】
ホログラム記録層６０には、複数のＬＥＤ５０１〜５０６の各々に対応して、主走査方向に沿って複数のホログラム素子５４１〜５４６が形成されている。ホログラム素子５４の各々は、互いに隣接する２つのホログラム素子５４の主走査方向の間隔（中心点の間隔）が、上記のＬＥＤ５０の主走査方向の間隔と、ほぼ同じ間隔となるように配列されている。即ち、互いに隣接する２つのホログラム素子５４が互いに重なり合うように、径の大きいホログラム素子５４が多重記録されている。また、複数のホログラム素子５４の各々は、互いに異なる形状を有していてもよい。
【００４０】
ホログラム記録層６０は、ホログラムを永続的に記録保持することが可能な高分子材料から構成されている。このような高分子材料としては、いわゆるフォトポリマーを用いてもよい。フォトポリマーは、光重合性モノマーのポリマー化による屈折率変化を利用してホログラムを記録する。
【００４１】
離間層６４は、ＬＥＤチップ５３とホログラム記録層６０と離間する。離間層６４は、空気や透明樹脂等、ＬＥＤ５０から射出される光に透明な材料で構成されている。界面形成層６６は、ガラスや樹脂等、離間層６４とは屈折率の異なる材料で構成されて、離間層６４との間に界面６６Ａを形成する。
【００４２】
界面６６Ａは、離間層６４との屈折率差により、界面形成層６６に入射した光を光軸方向に向けて屈折させる。界面６６Ａでの屈折による集光機能により、ホログラム素子５４に入射する光が増加して、光の利用効率が向上する。界面形成層６６は、離間層６４によりＬＥＤ５０と離間されており、ＬＥＤ５０を覆うように設けられるオンチップレンズよりも優れた集光機能を発揮する。
【００４３】
離間層６４を低屈折率の空気層とし、界面形成層６６を高屈折率の樹脂層とする等、界面形成層６６を離間層６４よりも屈折率が高い材料で構成してもよい。この場合には、主走査方向に延びると共に離間層６４側に凸な凸部を備えた界面形成層６６を設ける（図７参照）。例えば、凸部は、主走査方向に延びる円筒状のシリンドリカルレンズのような形状としてもよい。
【００４４】
凸部を備えた界面形成層６６と離間層６４との間には、離間層６４側に凸状の界面６６Ａが形成される。凸状の界面６６Ａは、離間層６４と界面形成層６６との屈折率差により、入射した光を光軸方向に向けて屈折させる。主走査方向に並ぶ複数のＬＥＤ５０に対して、主走査方向に延びる凸部が設けられるので、複数のＬＥＤ５０を高密度に配列しても、高い位置決め精度は不要になる。
【００４５】
また、離間層６４を高屈折率の透明樹脂層とし、界面形成層６６を低屈折率の樹脂層とする等、界面形成層６６を離間層６４よりも屈折率が低い材料で構成してもよい。離間層６４を高屈折率層とすることで、隣接するＬＥＤ５０との屈折率差が小さくなり、光取り出し効率が向上する。この場合には、主走査方向に延びると共に離間層６４側に凹な凹部を備えた界面形成層６６を設ける（図１１参照）。凹部を備えた界面形成層６６と離間層６４との間に、離間層６４側に凹状の界面６６Ａが形成される。凹状の界面６６Ａは、離間層６４と界面形成層６６との屈折率差により、入射した光を光軸方向に向けて屈折させる。
【００４６】
界面形成層６６を構成する材料としては、屈折率が１．３〜１．８の透明樹脂や、屈折率が１．５〜１．８５の光学ガラス等を用いてもよい。離間層６４を空気層とする場合には、界面形成層６６は高屈折率であることが好ましく、成形しやすく光学特性も良好な、シクロオレフィン系樹脂（屈折率：１．５３）、アクリル樹脂（屈折率：１．４９〜１．５３）、ポリカーボネート（屈折率：１．５９）等を用いてもよい。
【００４７】
また、離間層６４を高屈折率の透明樹脂層とする場合には、離間層６４を屈折率が１．４〜１．８の範囲の層とし、界面形成層６６を離間層６４よりも低屈折率で屈折率が１．３〜１．６の範囲の層としてもよい。離間層６４を構成する材料としては、屈折率が１．６５のチオール化合物を導入したエポキシ樹脂、屈折率が１．５〜１．５５のフェニル基を導入したシリコーン樹脂等を用いてもよい。界面形成層６６を構成する材料としては、屈折率が１．３〜１．４のフッ素樹脂、屈折率が１．４９のトリアセチルセルロース、屈折率が１．５３のシクロオレフィン系樹脂等を用いてもよい。
【００４８】
なお、図示は省略するが、ＬＰＨ１４は、ホログラム素子５４で生成された回折光が感光体ドラム１２の方向に射出されるように、ハウジングやホルダー等の保持部材により保持されて、図１に示す画像形成ユニット１１内の予め定めた位置に取り付けられている。なお、ＬＰＨ１４は、調整ネジ（図示せず）等の調整手段により、回折光の光軸方向に移動するように構成されていてもよい。ホログラム素子５４による結像位置(焦点面)が、感光体ドラム１２表面上に位置するように、上記の調整手段により調整する。また、ホログラム記録層６０上に、カバーガラスや透明樹脂等で保護層が形成されていてもよい。保護層によりゴミの付着を防止する。
【００４９】
また、ホログラム記録層６０は、ガラスや樹脂等で構成された容器内に収納されていてもよい。例えば、ホログラム記録層６０を、容器内に封入されたホログラム記録材料で構成してもよい。容器内に収納されたホログラム記録層６０は、取り扱いが容易である。また、容器は保護層としても機能する。ホログラム記録層６０が容器内に収納されている場合には、界面形成層６６を容器の一部として形成してもよい。具体的な実施の形態については、後で詳しく説明する。
【００５０】
＜ＬＥＤプリントヘッドの動作＞
ＬＥＤ５０を発光させると、ＬＥＤ５０から射出された光は、離間層６４を通過して界面形成層６６に入射し、界面形成層６６により集光されてホログラム記録層６０に照射される。従って、ＬＥＤ５０の発光により、ホログラム素子５４に参照光が照射されたのと略同じ状況となる。インコヒーレント光源であるＬＥＤ５０から射出される光は、発散して拡がることが知られている。この現象は「ランバーシアン配光」と称される。同じくインコヒーレント光源である電界発光素子（ＥＬ）においても、同様の現象が観測される。本実施の形態では、ＬＥＤ５０から射出された光は、ホログラム素子５４を記録した参照光の光路を通るように、界面形成層６６により集光される。これにより、ホログラム素子５４に入射する光が増加して、光の利用効率が向上する。
【００５１】
図２に示すように、ＬＥＤアレイ５２とホログラム素子アレイ５６とを備えたＬＰＨ１４では、６個のＬＥＤ５０１〜５０６の各々から射出された各光は、離間層６４を通過し、界面形成層６６により集光されて、対応するホログラム素子５４１〜５４６のいずれかに入射する。ホログラム素子５４１〜５４６は、入射された光を回折して回折光を生成する。ホログラム素子５４１〜５４６の各々で生成された各回折光は、拡散光の光路を避けて、その光軸が発光光軸と角度θを成す方向に射出され、感光体ドラム１２の方向に集光される。
【００５２】
射出された各回折光は、感光体ドラム１２の方向に収束して、数ｃｍ先の焦点面に配置された感光体ドラム１２の表面で結像される。即ち、複数のホログラム素子５４の各々は、対応するＬＥＤ５０から射出された光を回折して集光し、感光体ドラム１２表面に結像させる光学部材として機能する。感光体ドラム１２の表面には、各回折光による微小なスポット６２１〜６２６が、主走査方向に一列に配列されるように形成される。換言すれば、ＬＰＨ１４により、感光体ドラム１２が主走査される。なお、各々を区別する必要がない場合には、スポット６２１〜６２６を「スポット６２」と総称する。
【００５３】
一般に、インコヒーレント光（非干渉性の光）を射出するＬＥＤを用いるＬＰＨでは、コヒーレンス性が低下してスポットぼけ（いわゆる色収差）が生じ、微小スポットを形成することは容易ではない。これに対して、本実施の形態のＬＰＨ１４は、ホログラム素子の入射角選択性及び波長選択性が高く、高い回折効率が得られる。このためバックグラウンドノイズ（背景雑音）が低減され、信号光が精度よく再生されて、輪郭の鮮明な微小スポット６２（集光点）が形成される。
【００５４】
＜ホログラム素子の形状＞
図３（Ａ）はホログラム素子の概略形状を示す斜視図であり、図３（Ｂ）はＬＥＤプリントヘッドの副走査方向に沿った断面図であり、図３（Ｃ）はＬＥＤプリントヘッドの主走査方向に沿った断面図である。
【００５５】
図３（Ａ）に示すように、ホログラム素子５４の各々は、一般に厚いホログラム素子と称される体積ホログラムである。また、図３（Ａ）及び図３（Ｂ）に示すように、ホログラム素子５４の各々は、ホログラム記録層６０の表面側を底面とし、ＬＥＤ５０側に向かって収束する円錐台状に形成されている。この例では円錐台状のホログラム素子について説明するが、ホログラム素子の形状はこれには限定されない。例えば、円錐、楕円錐、楕円錐台等の形状としてもよい。円錐台状のホログラム素子５４の直径は、底面で最も大きくなる。この円形の底面の直径を「ホログラム径ｒＨ」とする。なお、「ホログラム厚さｈＨ」は、ホログラム素子５４の厚さである。
【００５６】
ホログラム素子５４の各々は、ＬＥＤ５０の主走査方向の間隔よりも大きな「ホログラム径ｒＨ」を有している。例えば、ＬＥＤ５０の主走査方向の間隔は３０μｍであり、ホログラム径ｒＨは２ｍｍ、ホログラム厚さｈＨは２５０μｍである。従って、図２及び図３（Ｃ）に示すように、互いに隣接する２つのホログラム素子５４は、互いに大幅に重なり合うように形成されている。複数のホログラム素子５４は、例えば、球面波シフト多重により多重記録されている。なお、複数のホログラム素子５４の各々は、同一波長で記録してもよく、複数の波長を組み合わせて（波長多重）記録してもよい。
【００５７】
＜ホログラムの記録方法＞
次に、ホログラムの記録方法について説明する。図４及び図５は、ホログラム記録層にホログラム素子５４が形成される様子、即ち、ホログラム記録層にホログラムが記録される様子を示す図である。感光体ドラム１２の図示は省略し、結像面である表面１２Ａだけを図示する。また、ホログラム記録層６０Ａは、ホログラム素子５４が形成される前の記録層であり、符号Ａを付して、ホログラム素子５４が形成されたホログラム記録層６０と区別する。
【００５８】
図４に示すように、表面１２Ａ上の集光点に結像される回折光の光路を通るコヒーレント光が、信号光としてホログラム記録層６０Ａに照射される。同時に、ホログラム記録層６０Ａを通過する際に、所望のホログラム径ｒＨまで拡がる拡散光の光路を通るコヒーレント光が、参照光としてホログラム記録層６０Ａに照射される。より詳細には、参照光は、発光点から射出されて離間層６４を通過し、界面形成層６６により集光されて所望のホログラム径ｒＨまで拡がる拡散光の光路を通る。コヒーレント光の照射には、半導体レーザ等のレーザ光源が用いられる。
【００５９】
信号光と参照光とは、ホログラム記録層６０Ａに対し、同じ側（表面側又は裏面側）から照射される。信号光と参照光との干渉により得られる干渉縞（強度分布）が、ホログラム記録層６０Ａの厚さ方向にわたって記録される。これにより、透過型のホログラム素子５４が形成されたホログラム記録層６０が得られる。ホログラム素子５４は、面方向及び厚さ方向に干渉縞の強度分布が記録された体積ホログラムである。このホログラム記録層６０を、ＬＥＤアレイ５２が実装されたＬＥＤ基板５８上に取り付けることで、ＬＰＨ１４が作製される。
【００６０】
図５に示すように、ホログラム記録層６０ＡをＬＥＤアレイ５２が実装されたＬＥＤ基板５８上に取り付けた後に、位相共役記録によりホログラムを記録してもよい。ホログラム記録層６０Ａを取り付けた後でＬＥＤ５０の位置に合わせてホログラムを記録するので、記録した後にホログラム記録層６０をＬＥＤ基板５８に取り付ける場合と比較して、高い位置決め精度は不要になる。位相共役記録では、上記と同じ光路を通る信号光と参照光とが、ＬＥＤ基板５８等が配置されていない側、即ち、ホログラム記録層６０Ａの表面側から照射される。この場合も同様に、ホログラム記録層６０には、透過型のホログラム素子５４が形成される。
【００６１】
＜複数のＬＥＤチップが配列されたＬＰＨ＞
図６はＳＬＥＤアレイに対応してホログラム素子アレイが形成されたＬＥＤプリントヘッドの部分的構成の一例を示す分解斜視図である。図６の分解斜視図は、図２に概略的に図示したＬＰＨの構成をより具体的に図示したものであり、実際の画像形成装置に使用される構成に近い。なお、「ＬＥＤ」に代えて「ＳＬＥＤ」を用いる場合には、ＬＥＤ５０と同じ符号を付して「ＳＬＥＤ５０」と称する。また、ＳＬＥＤチップにも同じ符号を付して「ＳＬＥＤチップ５３」と称する。
【００６２】
図６に示すＬＰＨ１４は、ＬＥＤアレイ５２が実装されたＬＥＤ基板５８と、ＬＥＤアレイ５２とホログラム記録層６０とを離間する離間層６４と、離間層６４に隣接して配置され、離間層６４との屈折率差により入射した光を光軸方向に向けて屈折させる界面６６Ａを形成する界面形成層６６と、複数のホログラム素子５４が形成されたホログラム記録層６０と、を備えている。なお、離間層６４は「空気層」として、図示を省略する。
【００６３】
図６に示す分解斜視図では、実際の構成に近いＬＰＨ１４の一部として、４個のＳＬＥＤチップ５３１〜５３４が１列に配列されたＳＬＥＤアレイ５２を備えている。４個のＳＬＥＤチップ５３１〜５３４の各々には、９個のＳＬＥＤ５０が予め定めた間隔で一次元状に配列されている。４個のＳＬＥＤチップ５３１〜５３４の各々は、ＳＬＥＤ５０の配列方向が主走査方向を向くように配置されている。
【００６４】
従って、図６に示す例では、合計３６個のＳＬＥＤ５０（ＳＬＥＤ５０１〜５０３６）が図示されている。ＳＬＥＤ５０の光出射側には、図示しない離間層６４に隣接して界面形成層６６が配置されている。界面形成層６６は、離間層６４側に凸で且つ主走査方向に延びる円筒状のシリンドリカルレンズのような形状の凸部を備えている。そして、３６個のＳＬＥＤ５０の各々に対応して、予め設計された位置及び形状の３６個のホログラム素子５４１〜５４３６が形成されている。
【００６５】
３６個のＳＬＥＤ５０１〜５０３６の各々から射出された各光は、離間層６４を通過して界面形成層６６に入射し、界面形成層６６により集光されて対応するホログラム素子５４１〜５４３６の何れかに入射する。これにより、感光体ドラム１２の表面１２Ａには、３６個のＳＬＥＤ５０１〜５０３６の各々に対応して、３６個のスポット６２１〜６２３６が主走査方向に沿って予め定めた間隔で一列に形成されている。なお、実際の画像形成装置では、数千個のＳＬＥＤ５０に対応して、数千個のスポット６２が形成される。
【００６６】
例えば、Ａ３幅まで印字可能な画像形成装置において、１インチ当たり１２００スポットの解像度を得るためには、２１μｍの間隔で主走査方向に並ぶように、感光体ドラム１２の表面１２Ａに１４８４８個のスポット６２を形成する。これに応じて、ＬＥＤ基板５８上には、１４８４８個のＳＬＥＤ５０が２１μｍの間隔で配列される。本実施の形態では、複数のＳＬＥＤ５０毎に集光光学系を設けるのではなく、主走査方向に延びる凸部を備えた界面形成層６６で集光するので、複数のＳＬＥＤ５０を高密度に配列しても、主走査方向での高い位置決め精度は不要になる。
【００６７】
＜一体型ＬＰＨの具体的な構成例（１）＞
図７（Ａ）はホログラム記録層が容器内に収納された一体型ＬＰＨの具体的な構成を示す斜視図である。図７（Ｂ）は図７（Ａ）に示す容器の一部を取り出して示す斜視図である。
【００６８】
図７（Ａ）に示すように、一体型ＬＰＨ１４は、複数のＬＥＤ５０を備えたＬＥＤチップ５３が複数配列されたＬＥＤ基板５８と、複数のＬＥＤ５０の各々に対応して複数のホログラム素子５４が記録されたホログラム記録層６０と、を備えている。ホログラム記録層６０は、ガラスや樹脂等で構成された容器７０内に収納されている。ホログラム記録層６０は、ホログラム記録材料を容器７０内に封入する等して、容器７０内に収納されている。複数のホログラム素子５４は、容器内に収納されたホログラム記録層６０Ａ（記録前）に対し、位相共役記録により記録される。
【００６９】
容器７０は、主走査方向に延びる長尺状で且つ平板状の第１の界面形成部７２と、ホログラム記録層６０を挟んで第１の界面形成部７２と対向する長尺状で且つ平板状の第２の界面形成部７４と、側面を形成して第１の界面形成部７２と第２の界面形成部７４とを連結する連結部７６と、第１の界面形成部７２を一定の高さに支持する支持部７８と、を備えている。第１の界面形成部７２は、容器７０の一部を構成する。また、図７（Ｂ）に示すように、第１の界面形成部７２は、主走査方向に延びると共に外側に突き出した円筒状の凸部を備えている。
【００７０】
容器７０は、空気より屈折率の高いガラスや樹脂等の材料で構成されている。容器７０を構成する材料としては、図２の界面形成層６６の材料として例示された材料を用いてもよい。容器７０は、例えば、型を用いた射出成形等により作製してもよい。また、容器７０を複数の部材に分けて、各部材を射出成形等により作製してもよい。第１の界面形成部７２の凸部は、第１の界面形成部７２と共に形成される。
【００７１】
支持部７８は、主走査方向に延びる長尺状の部材で構成されている。支持部７８は、第１の界面形成部７２の幅方向の両端に設けられている。支持部７８は、第１の界面形成部７２から見ると、第１の界面形成部７２からその法線方向に延びる脚部である。容器７０は、脚部である支持部７８の一端をＬＥＤ基板５８上に着けて、ＬＥＤ基板５８上に載せ置かれる。
【００７２】
容器７０がＬＥＤ基板５８上に載せ置かれることにより、第１の界面形成部７２がＬＥＤ基板５８上の一定の高さに支持される。これにより、ＬＥＤ５０と第１の界面形成部７２とが離間されて、ＬＥＤ５０と第１の界面形成部７２との間には、空気層が介在することになる。同時に、ホログラム記録層６０が、ＬＥＤ基板５８上の一定の高さに配置される。また、ＬＥＤ基板５８上の複数のＬＥＤ５０は、第１の界面形成部７２と支持部７８とで形成されるハウジング内に収納される。
【００７３】
凸部を備えた第１の界面形成部７２と空気層との間には、空気層側に凸状の界面７２Ａが形成される。凸状の界面７２Ａは、第１の界面形成部７２と空気層との屈折率差により、入射した光を光軸方向に向けて屈折させる。界面７２Ａでの屈折による集光機能により、ホログラム素子５４に入射する光が増加して、光の利用効率が向上する。
【００７４】
また、ＬＥＤ５０と第１の界面形成部７２とが離間されており、凸部を備えた第１の界面形成部７２は、ＬＥＤ５０を覆うように設けられるオンチップレンズよりも優れた集光機能を発揮する。更に、主走査方向に並ぶ複数のＬＥＤ５０に対して、主走査方向に延びる凸部が設けられるので、複数のＬＥＤ５０を高密度に配列しても、高い位置決め精度は不要にとなる。
【００７５】
図８（Ａ）〜（Ｅ）は、図７（Ａ）に示す一体型ＬＰＨの製造工程を示す断面図である。まず、図８（Ａ）に示すように、容器７０を構成する各部品を作製する。この例では、容器７０は、第１の部材と第２の部材とに分けて作製される。第１の部材は、第２の界面形成部７４及び連結部７６の一部７６Ａで構成される。第２の部材は、第１の界面形成部７２、連結部７６の一部７６Ｂ及び支持部７８で構成される。各部材は、射出成形等により所望の形状に形成される。
【００７６】
次に、図８（Ｂ）に示すように、連結部７６の一部７６Ａと連結部７６の一部７６Ｂとを接合することで、第１の部材と第２の部材とを一体化して、第１の界面形成部７２、第２の界面形成部７４、連結部７６及び支持部７８を備えた容器７０を完成させる。続いて、図８（Ｃ）に示すように、容器７０内にホログラム記録材料を充填して、容器７０内にホログラム記録層６０Ａ（記録前）を形成する。
【００７７】
次に、図８（Ｄ）に示すように、ホログラム記録層６０Ａが収納された容器７０を、ＬＥＤ基板５８上に載せ置く。最後に、図８（Ｅ）に示すように、容器７０内に収納されたホログラム記録層６０Ａ（記録前）に対し、位相共役記録により複数のホログラム素子５４記録する。
【００７８】
一体型ＬＰＨ１４では、ホログラム記録層６０と容器７０とが一体に形成されている。容器７０は、第１の界面形成部７２及び支持部７８を備えているので、ホログラム記録層６０が収納された容器７０を、ＬＥＤ基板５８上に載せ置くだけで、ホログラム記録層６０及び第１の界面形成部７２が所望の位置に配置されると共に、複数のＬＥＤ５０がハウジング内に収納される。
【００７９】
＜一体型ＬＰＨの具体的な構成例（２）＞
図９（Ａ）はホログラム記録層が容器内に収納された一体型ＬＰＨの具体的な構成を示す斜視図である。図９（Ｂ）及び（Ｃ）は、図９（Ａ）に示す容器の一部を取り出して示す斜視図である。図９（Ｃ）に示すように、第２の界面形成部７４は、主走査方向に延びると共に外側に突き出した円筒状の凸部を更に備えている以外は、図７（Ａ）及び（Ｂ）に示す一体型ＬＰＨと同じ構成であるため、同じ構成部分には同じ符号を付して説明を省略する。
【００８０】
第２の界面形成部７４の凸部は、第２の界面形成部７４と共に形成される。第２の界面形成部７４の外側には、空気層が存在する。凸部を備えた第２の界面形成部７４と空気層との間には、空気層側に凸状の界面７４Ａが形成される。凸状の界面７４Ａは、第２の界面形成部７４と空気層との屈折率差により、入射した光を光軸方向に向けて屈折させる。界面７４Ａでの屈折による集光機能により、ホログラム素子５４の記録時に高ＮＡのレンズが不要になると共に、ホログラム素子５４で回折されずに透過した不要光の拡がりが低減される。不要光が到達しない領域に回折光を集光させることによって、高いコントラストで露光される。
【００８１】
図１０は、図９（Ａ）に示す一体型ＬＰＨの変形例を示す断面図である。図９（Ａ）には、凸部を備えた第１の界面形成部７２と凸部を備えた第２の界面形成部７４とを有する例を図示した。この例では、第１の界面形成部７２の厚みが増加して凸部を形成すると共に、第２の界面形成部７４の厚みが増加して凸部を形成する。
【００８２】
これに対し、図１０に示す変形例では、界面７２Ａの形状は図９（Ａ）に示す例と同様であるが、第１の界面形成部７２の厚みがほぼ一定となるように、第１の界面形成部７２の内側の面が外側の面に沿って変形している。凸状の界面７２Ａは、第１の界面形成部７２と空気層との屈折率差により、入射した光を光軸方向に向けて屈折させる。界面７２Ａでの屈折による集光機能により、ホログラム素子５４に入射する光が増加して、光の利用効率が向上する。
【００８３】
また、界面７４Ａの形状も図９（Ａ）に示す例と同様であるが、第２の界面形成部７４の厚みがほぼ一定となるように、第２の界面形成部７４の内側の面が外側の面に沿って変形している。凸状の界面７４Ａは、第２の界面形成部７４と空気層との屈折率差により、入射した光を光軸方向に向けて屈折させる。界面７４Ａでの屈折による集光機能により、ホログラム素子５４の記録時に高ＮＡのレンズが不要になると共に、ホログラム素子５４で回折されずに透過した不要光の拡がりが低減される。
【００８４】
更に、第１の界面形成部７２及び第２の界面形成部７４の厚みが減少した分だけ、ホログラム記録層６０は厚くなる。厚いホログラム記録層６０に、厚いホログラム素子５４を記録することで、隣接するホログラム素子間でのクロストークが低減される。
【００８５】
＜一体型ＬＰＨの具体的な構成例（３）＞
図１１（Ａ）はホログラム記録層が容器内に収納された一体型ＬＰＨの具体的な構成を示す斜視図である。図１１（Ｂ）は、図１１（Ａ）に示す容器の一部を取り出して示す斜視図である。図７（Ａ）及び（Ｂ）に示す一体型ＬＰＨと類似の構成であるため、同じ構成部分には同じ符号を付して説明を省略する。
【００８６】
図１１（Ａ）に示すように、容器７０は、第１の界面形成部７３と、ホログラム記録層６０を挟んで第１の界面形成部７３と対向する第２の界面形成部７４と、側面を形成して第１の界面形成部７３と第２の界面形成部７４とを連結する連結部７６と、第１の界面形成部７３を一定の高さに支持する支持部７８と、を備えている。第１の界面形成部７３は、容器７０の一部を構成する。また、第１の界面形成部７３は、主走査方向に延びると共に内側に窪んだ半円筒状の凹部を備えている。
【００８７】
容器７０は、後述する透明樹脂より屈折率の低いガラスや樹脂等の材料で構成されている。容器７０を構成する材料としては、図２の界面形成層６６の材料として例示された材料を用いてもよい。第１の界面形成部７３の凸部は、第１の界面形成部７３と共に形成される。容器７０は、脚部である支持部７８の一端をＬＥＤ基板５８上に着けて、ＬＥＤ基板５８上に載せ置かれる。
【００８８】
容器７０がＬＥＤ基板５８上に載せ置かれることにより、第１の界面形成部７３がＬＥＤ基板５８上の一定の高さに支持される。同時に、ホログラム記録層６０が、ＬＥＤ基板５８上の一定の高さに配置される。また、ＬＥＤ基板５８上の複数のＬＥＤ５０は、第１の界面形成部７３と支持部７８とで形成されるハウジング内に収納される。
【００８９】
ハウジング内には、屈折率の高い透明樹脂７５が充填されている。これにより、ＬＥＤ５０と第１の界面形成部７３との間には、透明樹脂７５が介在することになる。凹部を備えた第１の界面形成部７３と透明樹脂７５との間には、透明樹脂７５側に凹状の界面７３Ａが形成される。凹状の界面７３Ａは、第１の界面形成部７３と透明樹脂７５との屈折率差により、入射した光を光軸方向に向けて屈折させる。界面７３Ａでの屈折による集光機能により、ホログラム素子５４に入射する光が増加して、光の利用効率が向上する。
【００９０】
また、ＬＥＤ５０と第１の界面形成部７３とが離間されており、凹部を備えた第１の界面形成部７３は、ＬＥＤ５０を覆うように設けられるオンチップレンズよりも優れた集光機能を発揮する。更に、主走査方向に並ぶ複数のＬＥＤ５０に対して、主走査方向に延びる凹部が設けられるので、複数のＬＥＤ５０を高密度に配列しても、高い位置決め精度は不要になる。
【００９１】
＜その他の変形例＞
なお、上記では、複数のＬＥＤを備えたＬＥＤプリントヘッドを備える例について説明したが、ＬＥＤに代えて電界発光素子（ＥＬ）、レーザダイオード（ＬＤ）等、他の発光素子を用いてもよい。発光素子の特性に応じてホログラム素子を設計すると共に、インコヒーレント光による不要露光を防止することで、インコヒーレント光を射出するＬＥＤやＥＬを発光素子として用いた場合でも、コヒーレント光を射出するＬＤを発光素子として用いた場合と同様に、輪郭が鮮明な微小スポットが形成される。
【００９２】
また、上記では、球面波シフト多重により複数のホログラム素子を多重記録する例について説明したが、所望の回折光が得られる多重方式であれば、他の多重方式で複数のホログラム素子を多重記録してもよい。また、複数種類の多重方式を併用しても良い。他の多重方式としては、参照光の入射角度を変えながら記録する角度多重記録、参照光の波長を変えながら記録する波長多重記録、参照光の位相を変えながら記録する位相多重記録等が挙げられる。
【００９３】
また、上記では、画像形成装置がタンデム型のデジタルカラープリンタであり、その各画像形成ユニットの感光体ドラムを露光する露光装置としてのＬＥＤプリントヘッドについて説明したが、露光装置により感光性の画像記録媒体を像様露光することで画像が形成される画像形成装置であればよく、上記の応用例には限定されない。例えば、画像形成装置は、電子写真方式のデジタルカラープリンタには限定されない。銀塩方式の画像形成装置や光書込み型電子ペーパー等の書き込み装置等にも本発明の露光装置を搭載してもよい。また、感光性の画像記録媒体は、感光体ドラムには限定されない。シート状の感光体や写真感光材料、フォトレジスト、フォトポリマー等の露光にも、上記応用例に係る露光装置を適用してもよい。
【符号の説明】
【００９４】
２      ＰＣ
３      画像読取装置
１０    画像形成プロセス部
１１    画像形成ユニット
１２    感光体ドラム
１２Ａ  表面
１３    帯電器
１４    ＬＥＤプリントヘッド
１５    現像器
１６    クリーナ
２１    中間転写ベルト
２２    一次転写ロール
２３    二次転写ロール
２４    搬送ベルト
２５    定着器
３０    制御部
４０    画像処理部
５０    ＬＥＤ
５２    ＬＥＤアレイ
５３    ＬＥＤチップ
５４    ホログラム素子
５６    ホログラム素子アレイ
５８    ＬＥＤ基板
６０    ホログラム記録層
６０Ａ  ホログラム記録層
６２    スポット
６４    離間層
６６    界面形成層
６６Ａ、７２Ａ、７３Ａ、７４Ａ  界面
７０    容器
７２、７３    第１の界面形成層
７４    第２の界面形成層
７５    透明樹脂
７６    連結部
７８    支持部
【図１】
2012152945.tif 000003
【図２】
2012152945.tif 000004
【図３】
2012152945.tif 000005
【図４】
2012152945.tif 000006
【図５】
2012152945.tif 000007
【図６】
2012152945.tif 000008
【図７】
2012152945.tif 000009
【図８】
2012152945.tif 000010
【図９】
2012152945.tif 000011
【図１０】
2012152945.tif 000012
【図１１】
2012152945.tif 000013